(57)【要約】【課題】消費電力の少ない光源で蓄光体に十分な蓄光を励起して蓄積しこの蓄積した蓄光を照明光に変換して十分な照明光を所定の周辺に放射する蓄光型照明装置１を提供する。【解決手段】電力を供給する電源部２と、励起光を放射する光源３−１と光源３−１を保持する保持部材３−２とからなる光源部３と、光源部３の光源３−１から放射される励起光を受光すると蓄光を励起して蓄積しこの蓄積した蓄光を照明光に変換して放射する蓄光体部４と、光源部３の光源３−１から放射される励起光が所定の範囲には放射されないよう遮蔽する遮蔽部５と、から構成する。【選択図】  図１
2015028902.tif 000002
【特許請求の範囲】
【請求項１】
光源から放射される励起光を蓄光として蓄積し、この蓄積した前記蓄光を照明光に変換
して放射し所定の範囲を照明する蓄光型照明装置において、
電力を供給する電源部と、
前記励起光を放射する前記光源と前記光源を保持する保持部材とからなる光源部と、
前記光源部の前記光源から放射される前記励起光を受光すると前記蓄光を励起して蓄積
しこの蓄積した前記蓄光を前記照明光に変換して放射する蓄光体部と、
前記光源部の前記光源から放射される前記励起光が前記所定の範囲には放射されないよ
う遮蔽する遮蔽部と、
から構成し、
前記電源部から前記光源部に前記電力が供給されると前記光源部の前記光源から前記励
起光が放射され前記蓄光体部に受光されて前記蓄光として蓄積されたのち前記蓄光体部に
おいて前記蓄積された前記蓄光が前記照明光に変換されて放射され前記所定の範囲を前記
照明光のみで照明することを特徴とする蓄光型照明装置。
【請求項２】
光源から放射される励起光を蓄光として蓄積し、この蓄積した前記蓄光を照明光に変換
して放射し所定の範囲を照明する蓄光型照明装置において、
電力を供給する電源部と、
前記励起光を放射する前記光源と前記光源を保持する保持部材とからなる光源部と、
前記光源部の前記光源から放射される前記励起光の一部を反射する透明部材からなる反
射部と、
前記光源部の前記光源から放射される前記励起光の他の一部を直接受光しかつ前記反射
部で反射された前記励起光の一部を同時に受光することによりそれぞれ前記蓄光を励起し
て蓄積しこの蓄積した前記蓄光を前記照明光に変換して放射する蓄光体部と、
前記光源部の前記光源から放射される前記励起光が前記所定の範囲には放射されないよ
う遮蔽する遮蔽部と、
から構成し、
前記電源部から前記光源部に前記電力が供給されると前記光源部の前記光源から前記励
起光が放射され前記蓄光体部に受光されて前記蓄光として蓄積されたのち前記蓄光体部に
おいて前記蓄積された前記蓄光が前記照明光に変換されて放射され前記反射部を透過して
前記所定の範囲を前記照明光のみで照明することを特徴とする蓄光型照明装置。
【請求項３】
蓄光体部を分割して順次励起光を照射し蓄積された蓄光を順次照明光に変換して照明す
ることを特徴とする請求項１及び請求項２に記載された蓄光型照明装置。
【発明の詳細な説明】
【技術分野】
【０００１】
本発明は、蓄光材料を用いた蓄光型照明装置に係り、特に、光源からの励起光を蓄光と
して蓄積し、この蓄積した蓄光を可視光に変換して放射し照明光とすることにより、低電
力で長時間の照明を行うことができる蓄光型照明装置に関するものである。
【背景技術】
【０００２】
図８は、特許文献１に提示されている、従来の蓄光型照明装置の構成を説明するための
断面図である。
【０００３】
この従来の蓄光型照明装置は、図８に示すように、照明器具１００の近傍に着脱可能と
なされた蓄光体１０１を有している。照明器具１００は、光源１０２と、この光源１０２
が取付けられるソケット１０３とから構成されている。光源１０２は、白熱灯や、発光管
などである。
【０００４】
この蓄光型照明装置において、蓄光体１０１は、照明器具１００の近傍に装着されてい
るときに、照明器具１００からの照明光によって蓄光する。蓄光体１０１は、半透明材料
により形成されており、照明器具１００の近傍に装着されたときに、照明器具１００の光
源１０２を覆うようになっている。
【０００５】
この蓄光体１０１は、蓄光材料を含有する合成樹脂材料によって形成されている。蓄光
材料としては、例えば、粒径約５５μｍのストロンチウムアルミネートに希土類金属を結
合させた高輝度長残光型蓄光材料（アルミナタイプ）を用いることができる。この蓄光材
料の励起波長は、２００ｎｍ乃至４５０ｎｍであり、発光ピーク波長は、５２０ｎｍであ
る。
【０００６】
この実施の形態において、蓄光体１０１は、円盤状の底板部及び円錐面状の側壁部とか
ら円錐台形状に構成されている。この蓄光体１の上端部は、底板部よりも大きな開口端と
なっており、照明器具１００の光源１０２が挿入されるようになっている。
【０００７】
この蓄光型照明器具において、蓄光体１０１が照明器具１００の近傍に装着されている
ときには、照明器具１０１が通常の使用状態となされて照明光を発することにより、この
照明光による周囲の照明が行われるとともに、蓄光体１０１による蓄光が行われる。
【０００８】
このとき、照明器具１０１の光源１０２から発せられた照明光は、一部が蓄光体１０１
中の蓄光材料の励起に消費され、残部が蓄光体１０１を透過して、周囲を照明する。また
、蓄光材料が励起されることによって、蓄光体１０１からも照明光が発せられ、光源１０
２から発せられ蓄光体１０１を透過する照明光とともに、周囲を照明することになる。そ
して、光源１０２が消灯されたときには、蓄光体１０１が発する照明光のみにより、周囲
の照明が行われる。
【０００９】
この従来の蓄光型照明装置においては、蓄光体１０１の蓄光材料の励起強度を大きくす
るために蓄光材料の厚さを増加させると、蓄光体１０１の透過率が低下し、蓄光体１０１
を透過する照明光の強度が小さくなるので光源から発せられる照明光を増加させなければ
ならなかった。
【００１０】
また光源１０２から発せられる照明光では蓄光材料を励起させる励起光領域の波長の光
量は少なく照明に用いる可視光領域の波長の光量がほとんどであるため蓄光の励起量を十
分得ることは困難であった。
【先行技術文献】
【特許文献】
【００１１】
【特許文献１】特開平２００８−４７３７６号公報
【発明の概要】
【発明が解決しようとする課題】
【００１２】
前述のような蓄光材料を用いた従来の蓄光型照明装置においては、蓄光体を半透明にし
て光源から発せられる照明光で蓄光を励起させるとともに蓄光体を透過して周辺を照明し
なければならず、十分な照明を行うためには、光源の消費電力を大きなものとしなければ
ならないという問題点があった。
また光源から発せられる照明光は可視光領域の波長帯の光がほとんどであり、蓄光体に
おける蓄光を励起させる領域の波長の光はわずかであり、十分な蓄光の励起を行うことは
困難であった。
【００１３】
そこで、本発明は、前述の実情に鑑みて提案されるものであって、消費電力の少ない光
源で蓄光体に蓄光を十分励起し、この蓄光を照明光に変換して十分な光量の照明を行うこ
とが出来る蓄光型照明装置を提供することを目的とする。
【課題を解決するための手段】
【００１４】
本願発明における第１の発明は、光源から放射される励起光を蓄光として蓄積し、この
蓄積した蓄光を照明光に変換して放射し所定の範囲を照明する蓄光型照明装置１において
、電力を供給する電源部２と、励起光を放射する光源３−１と光源３−１を保持する保持
部材３−２とからなる光源部３と、光源部３の光源３−１から放射される励起光を受光す
ると蓄光を励起して蓄積しこの蓄積した蓄光を照明光に変換して放射する蓄光体部４と、
光源部３の光源３−１から放射される励起光が所定の範囲には放射されないよう遮蔽する
遮蔽部５と、から構成し、電源部２から光源部３に電力が供給されると光源部３の光源３
−１から励起光が放射され蓄光体部４に受光されて前記蓄光として蓄積されたのち蓄光体
部４において蓄積された蓄光が照明光に変換されて放射され所定の範囲を照明光のみで照
明することを特徴とする蓄光型照明装置１を提供するものである。
本願発明における第２の発明は、光源から放射される励起光を蓄光として蓄積し、この
蓄積した蓄光を照明光に変換して放射し所定の範囲を照明する蓄光型照明装置１において
、電力を供給する電源部２と、励起光を放射する光源３−１と光源３−１を保持する保持
部材３−２とからなる光源部３と、光源部３の光源３−１から放射される励起光の一部を
反射する透明部材からなる反射部６と、光源部３の光源３−１から放射される励起光の他
の一部を直接受光しかつ反射部６で反射された励起光の一部を同時に受光することにより
それぞれ蓄光を励起して蓄積しこの蓄積した蓄光を照明光に変換して放射する蓄光体部４
と、光源部３の光源３−１から放射される励起光が所定の範囲には放射されないよう遮蔽
する遮蔽部５と、から構成し、電源部２から光源部３に電力が供給されると光源部３の光
源３−１から励起光が放射され蓄光体部４に受光されて蓄光として蓄積されたのち蓄光体
部４において蓄積された蓄光が照明光に変換されて放射され反射部６を透過して所定の範
囲を照明光のみで照明することを特徴とする蓄光型照明装置１を提供するものである。
本願発明における第３の発明は、蓄光体部４を分割して順次励起光を照射し蓄積された
蓄光を順次照明光に変換して照明することを特徴とする第１の発明及び第２の発明に記載
された蓄光型照明装置１を提供するものである。
【発明の効果】
【００１５】
本発明によれば、電力を供給する電源部２と、励起光を放射する光源３−１と光源３−
１を保持する保持部材３−２とからなる光源部３と、光源部３の光源３−１から放射され
る励起光を受光すると蓄光を励起して蓄積しこの蓄積した蓄光を照明光に変換して放射す
る蓄光体部４と、光源部３の光源３−１から放射される励起光が所定の範囲には放射され
ないよう遮蔽する遮蔽部５と、から構成し、電源部２から光源部３に電力が供給されると
光源部３の光源３−１から励起光が放射され蓄光体部４に受光されて前記蓄光として蓄積
されたのち蓄光体部４において蓄積された蓄光が照明光に変換されて放射され所定の範囲
を照明光のみで照明することにより、消費電力の少ない光源で蓄光体に蓄光を十分励起し
、この蓄光を照明光に変換して十分な光量の照明を行う蓄光型照明装置１を提供すること
が出来る。
【図面の簡単な説明】
【００１６】
【図１】本発明の実施例を説明するための図であり、蓄光型照明装置１の側面を示す図である。
【図２】光源部２の側面の詳細を示す図である。
【図３】励起光と照明光の反射状態を説明するためのガラス反射特性を示す図であり、縦方向に反射率（％）、横方向に入射角度（度）を示す。
【図４】本発明の実施例における動作を説明するための図であり、図４（Ａ）は励起光のほとんどを蓄光体部４に直接放射して蓄光を励起する図であり、図４（Ｂ）は励起光の一部を透明体部６で反射させてから蓄光体部４に放射するとともに励起光の他の一部を蓄光体部４に直接放射して蓄光を励起する図である。
【図５】本発明の実施例における蓄光体部４を説明するための概略断面図である。
【図６】本発明の使用例において蓄光個所を分割して照明するＬＥＤの発光例を説明するための図で、図５（Ａ）は側面図、図５（Ｂ）は正面図を示し複数のＬＥＤのうち最初の一個のみが発光した状態を示す図である。
【図７】本発明の使用例の発光順序による照明光の明るさを説明するための図であり、図７（Ａ）は図６（Ｂ）の最初の一個が２回目で他は一回目、図７（Ｂ）は図６（Ｂ）の最初の一個が３回目他は２回目を示す図である。
【図８】従来の蓄光型照明装置を説明するための図である。
【発明を実施するための形態】
【００１７】
本発明を実施するための最良の形態について、図１〜図５を用いて説明するが、本発明
はかかる実施形態に限定されるものではない。
【実施例】
【００１８】
次に実施例を説明すると、
図１に示すように、本発明の蓄光型照明装置１は、電力を供給する電源部２と、励起光
を放射する光源部３と、光源部３から放射される励起光を受光すると蓄光を励起して蓄積
しこの蓄積した蓄光を照明光に変換して放射する蓄光体部４と、光源部３から放射される
励起光が所定の範囲には放射されないよう遮蔽する遮蔽部５と、光源部３から放射される
励起光の一部を反射した後蓄光体部に放射する透明部材からなる反射部６と、から構成さ
れる。
【００１９】
電源部２は、電力源として携帯性を良くするために、乾電池或いは充電型のバッテリー
を用いる。更に屋外では風力、太陽光、等の携帯型小型発電装置を利用する。
【００２０】
光源部３は、図２に示すように消費電力の大半を励起光として放射するＬＥＤ、蛍光灯
、放電灯等の光源３−１と、光源３−１を保持するとともに電源部２からの電力を光源３
−１に供給するための電気配線路をプラスチックや金属等に形成する保持部材３−２とか
ら構成される。
光源３−１には放射される励起光の発光波長が選択しやすく放射角度を鋭角に出来るＬ
ＥＤを用いると良い。このＬＥＤを使用する場合は、図２に示すように放射の中心が位置
Ｐ０で略垂直方向となるよう保持部材３−２上に設置する。励起光の発光波長としては紫
外線（３８０ｎｍ）、紫色（４００ｎｍ）等の可視光領域にはほとんど含まれない波長を
選択する。例えば紫外線に比べ比較的人体への影響の少ない紫色ＬＥＤとしてはＬＥＤ  
ＰＡＲＡＤＩＳＥ  ＩＮＴＥＲＮＥＴ  ＳＨＯＰ（通信販売店）から型名ＬＰ−Ｒ５ＵＶ
４００が市販されている。このＬＥＤは砲弾型で放射角度θは１５度と鋭角である。この
ＬＥＤを用いる場合、駆動電圧が３．３Ｖなので、例えば電源部２は乾電池（１．５Ｖ仕
様のもの）３個を直列に接続し分圧調整して用いる。
【００２１】
蓄光体部４は、図５に示すようにプラスチック、金属、紙等の基材４−１に励起光を受
光すると蓄光を励起して蓄積しこの蓄積した蓄光を照明光に変換して放射する蓄光材料４
−２を塗布或いは接着して用いる。基材４−１は、励起光の受光側からのみ照明光を放射
する場合は不透明な白色かアルミ材を用いた鏡面反射とし、受光側の反対側にも放射する
場合は透明とする。蓄光材料４−２は蓄光として励起される波長範囲を青色光から短波長
側（略２５０ｎｍ〜略４５０ｎｍ）に設定し、蓄光を変換して放射する照明光の波長範囲
は青色光より長波長側（略４５０ｎｍ〜略６５０ｎｍ）に設定する。特に可視光帯の波長
の放射を大きくすれば照明光の放射効率が高くなる。蓄光材料４−２としては根本特殊化
学株式会社から蓄光インク、蓄光シート等がルミノーバの商品名で市販されている。
そして、蓄光体部４は下端を光源部３の保持部材３−２端の位置Ｐ０−１とし上端を透
明部材部６と接触する位置Ｐ４とする。
【００２２】
遮蔽部５は、不透明なプラスチック、金属、紙等から形成され、電源部２及び光源部３
を内蔵するとともに、光源部３から蓄光体部４に放射される励起光の波長はたとえ紫色で
あっても人の目に入ると障害を起こしやすいので光源部３の光源の高さ以上に遮蔽部５の
高さを高くして照明を行おうとする周辺から励起光を遮断する。
【００２３】
透明部材部６は、主に透明なガラス、プラスチック等から形成され、下端を光源部３の
保持部材３−２端の位置Ｐ０２とし上端を蓄光体部４に接触する位置Ｐ４とすることによ
り光源部３の光源３−１から放射される励起光を蓄光体部４の方向に位置Ｐ２から位置Ｐ
４の間で反射させるとともに蓄光体部４で蓄積された蓄光を変換して放射された照明光を
透過させて所定の周辺を照明する。
【００２４】
次に、図１を用いて動作を説明する。
図１において電源部２から光源部３に電力を供給すると、光源部３からは励起光Ｒ０が
放射角度θで光源部３の中心位置Ｐ０から蓄光体部４の位置Ｐ１と透明部材部６の位置Ｐ
２間に放射される。例えば励起光Ｒ０の一部は、透明部材部６の位置Ｐ２から位置Ｐ４の
間は透明部材部６で反射された後、蓄光体部４の位置Ｐ３から位置Ｐ４の間に放射され、
励起光Ｒ０の他の一部は、蓄光体部４の位置Ｐ１から位置Ｐ４までの範囲に直接放射され
る。よって励起光Ｒ０のほとんど全てが蓄光体部４に放射され蓄光として蓄積される。図
２に示すように光源３−１は放射の中心位置Ｐ０から上方へ垂直方向に放射されるよう保
持部材３−２に設置され、中心位置Ｐ０の位置から距離Ｘ１離れた保持部材部３−２端で
ある位置Ｐ０１に蓄光体部４の下端を、中心位置Ｐ０の位置から距離Ｘ２離れた保持部材
部３−２の他の端である位置Ｐ０２に透明部材部６の下端をそれぞれ設置し、蓄光体部４
と透明部材部６の上端は位置Ｐ４で接触するよう形成する。
そして、光源部３から水平方向に放射される励起光Ｒ０以外の漏えい光は遮蔽部５によ
って遮蔽される。
【００２５】
次に、蓄光体部４に蓄積された蓄光は、図１に示されるように位置Ｐ１からはＬ０、位
置Ｐ３からはＬ１、位置Ｐ４からはＬ２として蓄光体部４の直角方向に準ずるように位置
Ｐ１〜位置Ｐ４の範囲でそれぞれ照明光に変換されて透明部材部６を経由し放射されるか
ら、光源部３から蓄光体部４へ斜め方向に放射される励起光とは混合されずに照明光のみ
で周辺を照明することが出来る。
【００２６】
このように、蓄光体部４に放射される励起光Ｒ０のほとんど全てが蓄光を励起して蓄積
され、この蓄積された蓄光は励起光Ｒ０の波長とは異なる可視光領域の波長の照明光に変
換されて蓄光体部４の励起光の受光面側から直接周辺を照明するから、発光効率は非常に
よく電源部２から供給される電力は少なくて済む。
また、光源部３から放射される励起光Ｒ０や水平方向の漏えい光は照明される周辺には
放射されないので、人の目に入ることはなく安全である。
【００２７】
次に、図３〜図５を用いてさらに詳細に説明する。
図３は透明体部６にガラスを用いた場合の反射特性であり、縦軸に反射率（％）を示し
横軸に入射角度（度）を示す。例えば透明体部６に入射角度４５度で照明光が入射すると
反射率１０％となりこれより入射角度が小さくなると反射率は下がり照明光のほとんどが
透明体部６を透過する。また透明体部６に入射角度７５度で励起光Ｒ０が入射すると反射
率３５％となりこれより入射角度が大きくなると反射率はさらに大きくなり入射角度が８
０度を越せば励起光Ｒ０のほとんどが反射される。
以下図３に示した反射特性を基本として次の説明を行う。
【００２８】
図４（Ａ）は蓄光体部４をＰ０１の位置からＰ２の位置に設置した状態を示す。そして
光源部３の光源３−１の中心位置Ｐ０から保持部材端Ｐ０１までの距離Ｘ１を光源の直径
の略１．５倍に設定する。例えば光源３−１に直径５ｍｍのＬＥＤを用いる場合は距離Ｘ
１を略７．５ｍｍとする。これは蓄光体部４と光源３−１が接触しないようかつ出来るだ
け光源との距離を短くするための目安である。
次にＰ１−１の位置は励起光Ｒ０の放射の端側を示すものであり、Ｐ２の位置は励起光
Ｒ０の放射の他の端側を示すものである。従って蓄光体部４には励起光Ｒ０が蓄光体部４
の太線で示されるＰ１−１からＰ２の範囲にすべて放射され蓄光を励起して蓄積される。
【００２９】
一方、透明体部６は蓄光体部４とは反対側に距離Ｘ２（＝Ｘ１）離された位置Ｐ０２に
光源部３の水平方向に対し略直角になるよう設置する。そうするとＰ２の位置で蓄光体部
４と接触する。
【００３０】
このように蓄光体部４と透明体部６を設置すると、光源部３の水平軸を基準とする垂直
軸に対する蓄光体部４の設置角度θ１は、蓄光体部４から蓄積された蓄光が変換されて直
角に放射される照明光Ｌａが透明体部６に入射する入射角度θ２と等しくなる。
例えば、励起光Ｒ０の放射角度θを３０度とすると、図からの実測値でθ１とθ２はと
もに２８．３度となりほぼθに近い値である。従って透明体部６に照明光Ｌａが入射する
入射角度θ２は２８．３度であるから図２より反射率は１０％以下であり照明光Ｌａはほ
とんどが透明体部６を透過し周辺を照明する。
【００３１】
そして蓄光体部４の垂直軸に対する設置角度θ１は光源部３側から換算すると（９０度
−θ１）となり約（９０度−θ）となる。この蓄光体部４の設置角度θ１を励起光Ｒ０の
放射角度θより大きくすると蓄光体部４から放射される照明光Ｌａが透明体部６に入射す
る角度θ２も大きくなり反射率が上昇して周辺を照明する光量が減少するとともに、遮蔽
部５で照明光Ｌａの一部が遮蔽されるようになりさらに光量が減少する。
【００３２】
以上により、図４（Ａ）に示すように光源部３に対し蓄光体部４の設置角度を（９０度
−θ）とすれば、光源部３からの励起光Ｒ０は蓄光体部４にほとんど全てが放射されて蓄
光として蓄積され、この蓄積された蓄光が照明光に変換されて蓄光型照明装置１の透明体
部６を経由して放射され周辺を照明する。
【００３３】
次に、図４（Ｂ）を用いて蓄光体部４の蓄光面積を増加させて照明範囲を広げる例につ
いて説明する。
図４（Ｂ）は蓄光体部４をＰ０１の位置から光源部３の中心位置Ｐ０とＰ２の位置を結
ぶ線に対して平行にして光源部３の位置Ｐ０２から直角になるよう設置された透明体部６
と接触する位置Ｐ４に設置した状態を示す。
このように蓄光体部４と透明体部６を設置すると、蓄光体部４の位置Ｐ１から位置Ｐ３
には励起光Ｒ０が直接放射される。そして、蓄光体部４の位置Ｐ３から位置Ｐ４には励起
光Ｒ０が直接放射されるとともに透明体部６の位置Ｐ２から位置Ｐ４で反射された励起光
Ｒ０が反射光として放射される。従って図４（Ｂ）の太線部で示されるように、蓄光体部
４の位置Ｐ１から位置Ｐ４に放射される励起光Ｒ０のほとんどが蓄光を励起して蓄光体部
４に蓄積される。
【００３４】
この時、蓄光体部４の垂直軸に対する設置角度θ３は蓄光体部４から蓄積された蓄光が
変換されて直角に放射される照明光Ｌｂが透明体部６に入射する入射角度θ４と等しくな
る。例えば、励起光Ｒ０の放射角度θを３０度とすると、図からの実測値でθ３とθ４は
ともに１５度となりθ／２である。従って透明体部６に照明光Ｌｂが入射する入射角度θ
４は１５度であるから図３より反射率は１０％以下であり照明光Ｌｂはほとんどが透明体
部６を透過する。
【００３５】
一方、位置Ｐ２において透明体部６に入射する励起光Ｒ０の入射角度θ５は（９０度−
θ３）に等しいからθ３を１５度とするとθ５は７５度となり、図３より反射率約３８％
となる。そして励起光Ｒ０の透明体部６への入射角度範囲は７５度から図の実測値で略８
３度（位置Ｐ０から位置Ｐ４への励起光Ｒ０の入射角度）までとなるから位置Ｐ２から位
置Ｐ４間に照射された励起光Ｒ０は略５０％以上は反射されて蓄光体部４へ放射され蓄光
を励起して蓄積される。この時、励起光Ｒ０の略１／４（透明体部４への入射角度範囲よ
り換算）が透明体部６で反射されるから蓄光として利用されるのはさらにこの略５０％で
あるからおよそ１／８となる。従って励起光Ｒ０の全体に対し直接入射３／４＋反射入射
１／８＝０．８７５となり、略９０％近くの励起光Ｒ０が蓄光用として利用される。
この蓄光体部４の垂直軸に対する設置角度θ３は光源部３側から換算すると（９０度−
θ３）となり従って（９０度−θ／２）となる。
【００３６】
図４（Ｂ）に基づく蓄光型照明装置１の形状寸法は使用する光源を５φのＬＥＤとする
とおよそ横１５ｍｍ×縦５６ｍｍとなる。幅は使用するＬＥＤの数量に応じて設定する。
例えば、ＬＥＤ４個を間隔５ｍｍで使用するとすれば４個×（ＬＥＤ直径５ｍｍ＋間隔５
ｍｍ）＝４０ｍｍとなる。この形状であれば携帯性は十分あることが分かる。（電源部２
を除く）
蓄光体部４の設置角度θ３をθ／２より小さくすると、蓄光体部４への励起光Ｒ０の放
射角度と透明体部６への入射角度が大きくなり、励起光Ｒ０を蓄光する蓄光体部４及び反
射する透明体部６の面積が増加する。このため励起光Ｒ０の光量を増加させるとともに蓄
光型照明装置１の形状を大きくする必要があり、消費電力と携帯性を考えて形状を設定す
る。
【００３７】
このように透明体部６での反射を利用した蓄光体部４を設定することにより、光源は
そのままで照明範囲を広げることが出来る。
【００３８】
以上により、図４（Ｂ）に示すように光源部３と蓄光体部４間の設置角度を（９０度−
θ／２）とすると光源部３からの励起光Ｒ０は蓄光体部４にほとんどが放射されて蓄光と
して蓄積され、この蓄積された蓄光が照明光に変換されて蓄光型照明装置１の透明体部６
から放射されて周辺を照明する。
【００３９】
一方、図４（Ａ）においては蓄光体部４の設置角度θ１をθより大きくすると蓄光体部
４からの照明光Ｌａが透明体部６に入射する角度θ２も大きくなり反射率が上昇して周辺
を照明する光量が減少するとともに遮蔽部５で照明光Ｌａの一部が遮蔽されるようになり
さらに光量が減少し、図４（Ｂ）においては蓄光体部４の設置角度θ３をθ／２より小さ
くすると蓄光体部４及び透明体部６への励起光Ｒ０の放射角度が大きくなり励起光Ｒ０を
蓄光する蓄光体部４及び反射する透明体部６の面積が増加する。
【００４０】
従って、光源部３に対する蓄光体部４の設置角度を（９０度−θ）から（９０度−θ／
２）の範囲内で選択すれば、励起光Ｒ０のほとんどを蓄光に使用しかつ最適な大きさに蓄
光型照明装置１を設定することが出来る。
【００４１】
また、励起光Ｒ０の放射角度θを４５度より大きくすると蓄光体部４からの照明光Ｌａ
が透明体部６に入射する角度θ２も大きくなり反射率が上昇して周辺を照明する光量が減
少するとともに遮蔽部５で照明光Ｌａの一部が遮蔽されるようになりさらに光量が減少す
る。そして、励起光Ｒ０の放射角度θを１０度より小さくすると蓄光体部４への励起光Ｒ
０の放射角度が大きくなり励起光Ｒ０を蓄光する蓄光体部４及び反射する透明体部６の面
積を増加しなければならない。
【００４２】
このため、励起光Ｒ０の放射角度θを１０度から４５度の範囲に選択すれば、励起光Ｒ
０のほとんどを蓄光に使用しかつ最適な大きさに蓄光型照明装置１を設定することが出来
る。
【００４３】
そして、図５に示されるように励起光Ｒ０を蓄光材料４−２に斜め方向から放射しても
蓄光材料４−２には光量に応じた蓄光として蓄積され、この蓄積された蓄光は蓄光材料４
−２の直角方向を中心に照明光Ｌ０に方向変換されて放射される。
【００４４】
このように蓄光体部４に励起光を斜め方向に入射して蓄光を励起して蓄積させても直角
方向を中心に蓄光を照明光に変換して放射することが出来るので、励起光の光源を照明光
の放射範囲の光路から容易に外すことが出来る。
【００４５】
以上説明してきたように、本発明による蓄光型照明装置１によれば、光源部３から蓄光
体部４の斜め方向に励起光を放射して蓄光を蓄積させた後この蓄積した蓄光を照明光に変
換して蓄光体部４の直角方向に放射して周辺を照明するので、励起光と照明光は異なる方
向となり、蓄光型照明装置１の周辺は励起光を含まない照明光のみとなるので目に安全な
照明を行うことが出来る。
また、励起光は照明光には使用されず蓄光体部４の蓄光の励起のみに使用され、この励
起された蓄光は可視光範囲の照明光のみに変換されるから、励起光は少なくて済みこの結
果低消費電力とすることが出来る。
更に、蓄光体部４では低消費電力でも十分な蓄光の蓄積が出来るので光源部３から一時
的に励起光を放射しなくても所定時間継続して照明光の放射を行うことが出来る。従って
間欠的に励起光を放射することで照明光を連続的に放射しながらさらに消費電力を減少さ
せることが出来る。
【００４６】
次に実際の使用例について図６、図７を用いて説明する。
図６（Ａ）に示すように光源３−１から蓄光体部４に直接光Ｌｄ、反射光Ｌｒが放射さ
れ蓄光として蓄積される。図６（Ｂ）は、蓄光体照明装置１に光源３−１としてＬＥＤを
８個（Ｌｅｄ１〜Ｌｅｄ８）用いた例であり、その中のＬｅｄ５に最初に電力を供給した
場合を示し、斜線部に示すようにＳ５の位置にＬｅｄ５により励起光が放射され蓄光とし
て蓄積され次に照明光に変換されて放射される。
【００４７】
そして、図７（Ａ）に示すように、例えば光源３−１をＬｅｄ５、Ｌｅｄ６、・・・・
・、Ｌｅｄ４、Ｌｅｄ５の順に一定期間（数秒〜数分程度）発光させる。そうすると、各
Ｌｅｄで順番に放射された蓄光体部４の各位置（Ｓ５、Ｓ６、・・・・・、Ｓ４、Ｓ５）
には順次蓄光が蓄積され照明光を放射する。蓄光は時間とともに放射され減少するので図
７（Ａ）の斜線部で疑似的に示されるように励起光が照射された直後は蓄光の放射による
照明光の量は多くそして時間とともに減少する。Ｓ５の位置では励起光が２回目の順番で
放射されたので前回の蓄光の残りに加算されて蓄光されるので照明光もその分多くなる。
図７（Ｂ）はＳ５の位置以外は２回目の励起光が順番に放射されＳ５のみが３回目とな
った例である。このように繰り返す回数を増やせば、全体に照明光の量はわずかずつでは
あるが増加する。
【００４８】
従って、蓄光体部４を８分割して順次励起光を繰り返し照射することにより、蓄光体部
全体を同時に励起光を放射する場合に比較し使用する電力を１／８に削減できる。分割数
は蓄光体部４の大きさと使用する光源により適正化する。
また、蓄光体部４は一度蓄光すると１０分程度は、励起光が照射されなくても周囲を視
角出来る程度には照明光を放射し続けるので、蓄光体部４を切り離して持ち運べば、電源
のいらない手軽な照明装置として利用できる。
【産業上の利用可能性】
【００４９】
本発明は、低消費電力で長時間の照明を行うことが出来るので、夜間の案内板や庭照明
や門燈等に有効使用が可能である。特に、風力、水力、太陽光等により山や海等の屋外で
間欠的に電力を得られる場所での照明装置に有望であり、省エネであり環境にやさしい効
果がある。
【符号の説明】
【００５０】
１      蓄光型照明装置
２      電源部
３      光源部
３−１  光源
３−２  保持部
４      蓄光体部
４−１      基体
４−２      蓄光材料
５      遮蔽部
６      透明体部
【図２】
2015028902.tif 000003
【図６】
2015028902.tif 000004
【図７】
2015028902.tif 000005
【図１】
2015028902.tif 000006
【図３】
2015028902.tif 000007
【図４】
2015028902.tif 000008
【図５】
2015028902.tif 000009
【図８】
2015028902.tif 000010